Podtech/llm-jp-corpus-v4-ja_patent huggingface dataset:
【手続補正書】
【提出日】平成19年12月20日(2007.12.20)
【手続補正１】
【補正対象書類名】明細書
【補正対象項目名】０００８
【補正方法】変更
【補正の内容】
【０００８】
そこで、充填後で密封前のカップ容器内ヘッドスペースのガス置換について、製造ラインを煩雑化することなく、多数の容器を連続的に搬送しながら、迅速に且つ効率良くガス置換できるように、容器を密封するためのフィルムの送給方向を容器の上方で搬送コンベアと略平行にしている箇所の手前で、斜め上方から容器の開口部に向けて噴射する不活性ガスを、搬送下流側の方向に向けて噴射することにより、密封工程に向けて共に移動する容器とフィルムの間の空間に不活性ガスを流すようにするということが、この出願に先立って本出願人により既に提案されている（特願２０００−２１４１７８号）。
【手続補正２】
【補正対象書類名】明細書
【補正対象項目名】００２９
【補正方法】変更
【補正の内容】
【００２９】
【発明の効果】
以上説明したような本発明のカップ容器内ヘッドスペースのガス置換方法によれば、専用のガス置換室の設置により製造ラインを煩雑化するようなことなく、単に噴射ノズルによる不活性ガスの噴射によって、多数の容器を連続的に搬送しながら、迅速に且つ効率良くガス置換することができると共に、噴射ノズルから不活性ガスを噴射した時点でのガス置換率を高めることができて、密封工程に至るまでの間でヘッドスペース内に再び空気を混入させることもないため、最終的に高いガス置換率を得ることができる。
【手続補正書】
【提出日】平成19年12月25日(2007.12.25)
【手続補正１】
【補正対象書類名】明細書
【補正対象項目名】請求項６
【補正方法】変更
【補正の内容】
【請求項６】   主体層となる熱可塑性樹脂の帯状フィルムの一方の面に対して、艶消し成分を２〜１０重量％含有する硬化性樹脂塗料だけを塗布して乾燥させることを特徴とする請求項４又は５の何れかに記載のマット調容器の製造方法。
【手続補正２】
【補正対象書類名】明細書
【補正対象項目名】請求項７
【補正方法】変更
【補正の内容】
【請求項７】   主体層となる熱可塑性樹脂の帯状フィルムの一方の面に対して、艶消し成分を２〜１０重量％含有する硬化性樹脂塗料と、艶消し成分を含有しない硬化性樹脂塗料とを、領域を分けて塗布して乾燥させることを特徴とする請求項４又は５の何れかに記載のマット調容器の製造方法。
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
映像音声情報を処理する機器の著作権を管理する方法において、
再生、又は受信した映像音声情報の著作権制御情報を処理する著作権管理回路と、
再生、又は受信した映像音声信号を記録する機器に内臓された記録再生装置と、
インターネットに接続するインターネット接続端子を具備し、
前記インターネット接続端子を通して、再生、又は受信した映像音声情報の著作権制御情報を著作権管理者の了解を得て変更、著作権管理回路に入力し、該変更、入力した著作権制御情報に基づき、
著作権管理回路が前記記録再生装置を制御することを特徴とする映像音声情報の著作権を管理する方法。
【請求項２】
請求項1記載の映像音声情報の著作権を管理する方法において、
前記再生、又は受信した映像音声情報に含まれる著作権制御情報のコピー管理信号が記録禁止の場合、前記インターネット接続端子を通して、記録禁止のコピー管理信号を著作権管理者の了解を得て記録可能に変更、著作権管理回路に入力し、該変更、入力した著作権制御情報に基づき、
著作権管理回路が前記記録再生装置を記録制御することを特徴とする映像音声情報の著作権を管理する方法。
【請求項３】
映像音声情報の著作権を管理する方法において、
メディア再生装置からのデータ圧縮信号を再生する再生回路と、
再生回路のデータ圧縮信号を復号する暗号復号回路と、
再生、又は受信した映像音声情報の著作権制御情報であって、使用地域に関する情報を含む著作権制御情報を処理する著作権管理回路と、
再生、又は受信した映像音声信号を記録する機器に内臓された記録再生装置と、
インターネットに接続するインターネット接続端子を具備し、
前記インターネット接続端子を通して、前記著作権制御情報に含まれる使用地域を著作権管理者の了解を得て変更、著作権管理回路に入力し、該変更、入力した著作権制御情報に基づき、前記暗号復号回路を再生制御することを特徴とする映像音声情報の著作権を管理する方法。
【請求項４】
映像音声情報を処理する機器において、
再生、又は受信した映像音声情報の著作権制御情報を処理する著作権管理回路と、
再生、又は受信した映像音声信号を記録する機器に内臓された記録再生装置と、
インターネットに接続するインターネット接続端子を具備し、
前記インターネット接続端子を通して、再生、又は受信した映像音声情報の著作権制御情報を著作権管理者の了解を得て変更、著作権管理回路に入力し、該変更、入力した著作権制御情報に基づき、
著作権管理回路が前記記録再生装置を制御することを特徴とする映像音声情報を処理する装置。
【請求項５】
請求項４記載の映像音声情報を処理する機器において、
前記再生、又は受信した映像音声情報に含まれる著作権制御情報のコピー管理信号が記録禁止の場合、前記インターネット接続端子を通して、記録禁止のコピー管理信号を著作権管理者の了解を得て記録可能に変更、著作権管理回路に入力し、該変更、入力した著作権制御情報に基づき、
著作権管理回路が前記記録再生装置を記録制御することを特徴とする映像音声情報を処理する装置。
【請求項６】
映像音声情報を処理する機器において、
メディア再生装置からのデータ圧縮信号を再生する再生回路と、
再生回路のデータ圧縮信号を復号する暗号復号回路と、
再生、又は受信した映像音声情報の著作権制御情報であって、使用地域に関する情報を含む著作権制御情報を処理する著作権管理回路と、
再生、又は受信した映像音声信号を記録する機器に内臓された記録再生装置と、
インターネットに接続するインターネット接続端子を具備し、
前記インターネット接続端子を通して、前記著作権制御情報に含まれる使用地域を著作権管理者の了解を得て変更、著作権管理回路に入力し、該変更、入力した著作権制御情報に基づき、前記暗号復号回路を再生制御することを特徴とする映像音声情報を処理する機器。
【手続補正２】
【補正対象書類名】明細書
【補正対象項目名】００１９
【補正方法】変更
【補正の内容】
【００１９】
例えば仕向け地が日米欧であれば、製品出荷時に、外部端子108がDTCP-IP規格準拠なら、暗号化回路106の暗号方式は128bit鍵長のAES方式に設定され、外部端子112がHDMI規格準拠なら暗号化回路110の暗号方式は40bitあるいは56bit鍵長のHDCPに、メディア再生装置102がDVDとBlu-rayあるいはHD DVD規格準拠なら、暗号復号回路105の復号方式はDVD再生時40bit鍵長CSS方式に、Blu-rayあるいはHD DVD再生時には128bit鍵長AACS方式に夫々設定される。暗号化回路106の出力信号は送受信回路107を経由し外部端子108に至る。暗号化回路110の出力信号は送受信回路111を経由し外部端子112に至る。
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
指定されたチャンネルの放送を受信し、番組の映像と音声を出力する複数の受信部と、
該番組に係わるメタ情報を保存するメタ情報保存部と、
前記複数の受信部から出力された番組の映像と音声と、前記メタ情報保存部に保存されているメタ情報から、受信中の複数のチャンネルの番組に対する番組優先情報を算出する第１評価部と、前記優先情報に基づき、前記複数の受信部からの映像で最も優先度の高い番組のチャンネルの映像を選択出力する第１映像合成部と、
前記優先情報に基づき、前記複数の受信部からの音声で最も優先度の高い番組のチャンネルの音声を選択出力する第１音声選択部を備えることを特徴とするマルチチャンネル表示装置。
【請求項２】
前記複数の受信部の出力である各映像と各音声を前記番組優先情報に応じて選択出力するクロスバスイッチをさらに備え、
前記第１評価部は、前記クロスバスイッチでの出力で、最も優先度が高いと判定されている番組の映像を解析する第１映像解析部と、
前記クロスバスイッチでの出力で、最も優先度が高いと判定されている番組の音声を解析する第１の音声解析部と、
前記クロスバスイッチでの出力で、優先順位が低いと判定されている番組の映像と音声を時分割で出力する時分割部と、
前記時分割部で多重化された複数の映像を映像毎に映像解析して各解析結果として出力する第２の映像解析部と、
前記時分割部で多重化された複数の音声を音声毎に音声解析して各解析結果として出力する第２の音声解析部と、
前記第１および第２の映像解析部の映像解析結果と、前記第１および第２の音声解析部の音声解析結果と、前記メタ情報保存部からのメタ情報とから、番組優先情報を出力し、前記クロスバスイッチの切り替え制御を行う第２総合評価部を
備えることを特徴とする、請求項１に記載のマルチチャンネル表示装置。
【請求項３】
最優先の番組のチャンネルを受信し、受信した番組の映像と音声を出力する第１の受信部と、
前記第１の受信部で受信しているチャンネル以外で、指定の複数のサブのチャンネルを時分割で受信し、受信した複数の番組の映像と音声を出力する第２の受信部と、
前記第１の受信部に最優先の番組のチャンネルを設定し、前記第２の受信部に前記複数のサブのチャンネルと共に、時分割の時間間隔を設定するチャンネル指定部と、
該番組に係わるメタ情報を保存するメタ情報保存部と、
前記第１の受信部から出力された番組の映像と音声と、前記第２の受信部から出力された複数の番組の映像と音声と、前記メタ情報保存部に保存されているメタ情報から、新たな最優先の番組のチャンネルと、新たなサブの複数のチャンネルと、時分割の時間間隔を情報として持つチャンネル設定情報を前記チャンネル指定部に出力し、前記新たなサブの複数のチャンネルの優先順位を示すサブチャンネル優先情報と新たな最優先の番組のチャンネルの音声出力を制御する音声調整情報を算出する第２評価部と、
前記第１の受信部を最優先の番組として入力した映像と、前記第２の受信部のサブの複数のチャンネルの番組の映像を前記サブチャンネル優先情報に基づき合成出力する第１の映像合成部と、
前記第１の受信部の最優先の番組の音声を前記音声調整情報によって制御して出力する第２の音声選択部を
備えたことを特徴とするマルチチャンネル表示装置。
【請求項４】
前記メタ情報保存部において、ジャンル情報、電子番組情報、解析に利用する参照情報、解析に利用する学習データなどから構成されるメタ情報を保存することを特徴とする、請求項１から請求項３のいずれかの請求項に記載のマルチチャンネル表示装置。
【手続補正２】
【補正対象書類名】明細書
【補正対象項目名】０００５
【補正方法】変更
【補正の内容】
【０００５】
本発明は、指定されたチャンネルの放送を受信し、番組の映像と音声を出力する複数の受信部と、該番組に係わる情報であるメタ情報を保存するメタ情報保存部と、複数の受信部から出力された番組の映像と音声と、メタ情報保存部に保存されているメタ情報から、受信中の複数のチャンネルの番組に対する番組優先情報を算出する第１評価部と、優先情報に基づき、複数の受信部からの映像で最も優先度の高い番組のチャンネルの映像を選択出力する第１映像合成部と、優先情報に基づき、複数の受信部からの音声で最も優先度の高い番組のチャンネルの音声を選択出力する第１音声選択部を備えたマルチチャンネル表示装置である。
【手続補正３】
【補正対象書類名】明細書
【補正対象項目名】０００６
【補正方法】変更
【補正の内容】
【０００６】
また、本発明は、最優先の番組のチャンネルを受信し、受信した番組の映像と音声を出力する第１の受信部と、受信部で受信しているチャンネル以外で、指定の複数のサブのチャンネルを時分割で受信し、受信した複数の番組の映像と音声を出力する第２の受信部と、第１の受信部に最優先の番組のチャンネルを設定し、第２の受信部に前記複数のサブのチャンネルと共に、時分割の時間間隔を設定するチャンネル指定部と、該番組に係わるメタ情報を保存するメタ情報保存部と、第１の受信部から出力された番組の映像と音声と、第２の受信部から出力された複数の番組の映像と音声と、メタ情報保存部に保存されているメタ情報から、新たな最優先の番組のチャンネルと、新たなサブの複数のチャンネルと、時分割の時間間隔を情報として持つチャンネル設定情報をチャンネル指定部に出力し、新たなサブの複数のチャンネルの優先順位を示すサブチャンネル優先情報と新たな最優先の番組のチャンネルの音声出力を制御する音声調整情報を算出する第２評価部と、第１の受信部を最優先の番組として入力した映像と、前記第２の受信部のサブの複数のチャンネルの番組の映像を前記サブチャンネル優先情報に基づき合成出力する第１映像合成部と、第１の受信部の最優先の番組の音声を音声調整情報によって制御して出力する第２の音声選択部を備えたマルチチャンネル表示装置である。
【手続補正書】
【提出日】平成20年9月12日(2008.9.12)
【手続補正１】
【補正対象書類名】明細書
【補正対象項目名】００２６
【補正方法】変更
【補正の内容】
【００２６】
図６Ｉの関係図描画部１０ｃは、メタデータ合成部８ｆより関係情報を渡されると、関係情報をフレームバッファに書き込むことにより関係図を描画する画像を作成する（Ｓ６Ｉ０１，Ｓ６Ｉ０２，Ｓ６Ｉ０３）。同様に図６Ｉのオブジェクト軌跡描画部１０ｄは、フレームバッファに書き込むことにより映像上に軌跡を描画する画像を作成する（Ｓ６Ｉ０４，Ｓ６Ｉ０５，Ｓ６Ｉ０６）。さらにグリッド選択領域描画部１０ｂはオブジェクト軌跡ヒット判定部（キー選択矩形）８ｃからグリッド領域の情報が渡されると、このグリッド領域の情報をフレームバッファに書き込むことによりグリッドを描画する画像を作成する（Ｓ６Ｉ０７，Ｓ６Ｉ０８，Ｓ６Ｉ０９）。
合成処理部１０ｅは、映像描画部１０ａの映像，グリッド選択領域描画部１０ｂのグリッド画像，オブジェクト軌跡描画部１０ｄの軌跡画像および関係図描画部１０ｃの関係図の画像を重ねる処理を行うことにより合成を行い（Ｓ６Ｉ１０，Ｓ６Ｉ１１，Ｓ６Ｉ１２，Ｓ６Ｉ１３，Ｓ６Ｉ１４）、この画像が表示装置に表示される（Ｓ６Ｉ１５）。
図６Ｉ−１に表示装置で表示される合成画像の一例を示す。
オブジェクトに外接する楕円が軌跡領域であり、軌跡領域に一部重なっている円の領域がユーザがクリックしたグリッド領域である。映像の右側に関係図が表示されている。関係図は、映像のオブジックトに対応して同時に表示されるもので、表示位置の映像部分の他の部分（上側，左側，右側など）に表示することも可能であり、一部重ねて表示することも可能である。表示装置が２ディスプレイであれば、第１のディスプレイに映像を、近くに設置した第２のディスプレイに関係図を表示させることも可能である。また、軌跡の画面表示は、必要に応じて表示し、ユーザが視覚で確認できるように表示しても良いし、また、全く表示しなくても良い。全く表示しない場合には軌跡描画部は動作させない。
【手続補正２】
【補正対象書類名】明細書
【補正対象項目名】００２８
【補正方法】変更
【補正の内容】
【００２８】
図８に各種要求（１）（２）（３）および（４）の具体例を示す。
静的情報取得の要求（１）は映像コンテンツのＩＤおよびユーザのＩＤのデータより構成されている。
オブジェクト軌跡データ取得の要求（２）は何フレームから何フレームまでの軌跡情報かを要求するもので、映像コンテンツのＩＤ，ユーザのＩＤ，要求する映像のフレームの開始時間および終了時間より構成されている。
オブジェクトヒット判定の要求（３）は上述したようにサーバ装置でヒット判定する場合である。
要求内容としては以下の６通りであり、記載内容は一例である。なお、以降に説明する遅延クリックとは、クリックの信号入力から所定時間まで随時１フレームずつ戻しながら判定を行うことであり、ユーザの操作の遅れを補完するものである。
それぞれについては映像コンテンツのＩＤ，ユーザのＩＤおよびヒットした時間が含まれている。１行目の要求は、遅延クリックの開始時間６２８（遅延分を考慮してさかのぼる時間）と終了時間６８８およびその対象座標の位置（Ｘ座標３８２，Ｙ座標２５７）が示されており、６０フレームだけさかのぼって判定を行うものである。２行目は、遅延クリックはなく、対象時間５２０のクリックした位置（Ｘ座標４１６とＹ座標１５４）のみが示されており、さかのぼることはない。３行目は、２行目の記載に加えて、半径１０の判定幅でヒット判定を行うものである（マウスクリック）。４行目は、領域のヒット判定を行うもので、領域として幅２１３，高さ１６０の四角形の領域に対する判定要求である（領域クリック）。５行目は、遅延クリックが０フレームまでさかのぼり、かつ判定範囲が半径８の要求である（マウスクリック）。６行目は、遅延クリックが４４１までさかのぼり、幅８０，高さ６０の四角形の領域に対する判定要求である（領域クリック）。
要求（３）は、遅延クリックと領域クリックがプレイヤ装置によってオンオフできる場合などである。
オブジェクト詳細データ取得の要求（４）は、プレイヤ装置でヒットしたオブジェクトの要求をサーバ装置に行うもので、ヒットした映像コンテンツのＩＤ，ユーザのＩＤ，クリックした映像のフレームおよびクリックした映像中のオブジェクトのＩＤより構成されており、これによりクリックしてヒットしたオブジェクトの関係情報を得るものである。
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
複数種類の色要素それぞれに対応して、所定の単位ビット数で表される数値の連続でそれぞれ表現された複数の色版データにより構成された被圧縮データに対し、データ圧縮処理を施すデータ圧縮装置において、
前記被圧縮データに含まれる色版データそれぞれに対し、それぞれの色版データを構成する数値の連続について、隣接する数値どうしの差分を求めることにより該差分を表わす数値の連続からなる第１の差分データを生成する第１の差分生成部と、
前記被圧縮データに含まれる色版データのうち所定種類の色要素に対応した色版データの第１の差分データと、前記所定種類の色要素を除いた他の色要素に対応した色版データの第１の差分データとの差分を求めることにより、該差分を表わす数値の連続からなる第２の差分データを生成する第２の差分生成部と、
前記所定種類の色要素に対応した第１の差分データおよび前記第２の差分データを圧縮する圧縮部とを備えたことを特徴とするデータ圧縮装置。
【請求項２】
前記圧縮部が、データを可逆圧縮するものであることを特徴とする請求項１記載のデータ圧縮装置。
【請求項３】
前記被圧縮データが画像を表したものであり、
前記第１の差分生成部が、第１の差分データを構成する数値について、前記画像上で見てその数値に複数方向それぞれに隣接する複数の数値に基づいた２次元的な差分を求めるものであることを特徴とする請求項１記載のデータ圧縮装置。
【請求項４】
前記圧縮部が、
前記所定種類の色要素に対応した第１の差分データおよび前記第２の差分データそれぞれを構成する各数値を所定値だけオフセットさせるオフセット部と、
前記オフセット部によってオフセットされた各数値を、前記単位ビット数よりも小さい所定の分割ビット数のところで上位ビット部分と下位ビット部分とに分けることによって、前記所定種類の色要素に対応した第１の差分データおよび前記第２の差分データそれぞれを、各数値における上位ビット部分の連続からなる上位データと各数値の下位ビット部分の連続からなる下位データとに分割する分割部と、
前記分割部によって分割された上位データに対して可逆圧縮処理を施す上位データ圧縮部とを備えたものであることを特徴とする請求項１記載のデータ圧縮装置。
【請求項５】
前記上位データ圧縮部が、上位データ中、１つもしくは複数の所定の圧縮対象数値を除く数値についてはそのまま出力するとともに、圧縮対象数値については、該圧縮対象数値と、該圧縮対象数値と同一の圧縮対象数値の連続数を表わす数値とに符号化して出力する第１の符号化部を備えたものであることを特徴とする請求項４記載のデータ圧縮装置。
【請求項６】
前記上位データ圧縮部が、
上位データ中、１つもしくは複数の所定の圧縮対象数値を除く数値についてはそのまま出力するとともに、圧縮対象数値については、該圧縮対象数値と、該圧縮対象数値と同一の圧縮対象数値の連続数を表わす数値とに符号化して出力する第１の符号化部と、
符号と数値を対応づけるテーブルを用いて、前記第１の符号化部で符号化された後のデータにエントロピー符号化を施す第２の符号化部を備えたものであることを特徴とする請求項４記載のデータ圧縮装置。
【請求項７】
前記上位データ圧縮部が、
上位データ中、１つもしくは複数の所定の圧縮対象数値を除く数値についてはそのまま出力するとともに、圧縮対象数値については、該圧縮対象数値と、該圧縮対象数値と同一の圧縮対象数値の連続数を表わす数値とに符号化して出力する第１の符号化部と、
ハフマンテーブルを用いて、前記第１の符号化部で符号化された後のデータにハフマン符号化を施す第２の符号化部を備えたものであることを特徴とする請求項４記載のデータ圧縮装置。
【請求項８】
前記上位データ圧縮部が、
上位データ中、１つもしくは複数の所定の圧縮対象数値を除く数値についてはそのまま出力するとともに、圧縮対象数値については、該圧縮対象数値と、該圧縮対象数値と同一の圧縮対象数値の連続数を表わす数値とに符号化して出力する第１の符号化部と、
前記第１の符号化部で符号化された後のデータ中に出現する数値のヒストグラムを求めるヒストグラム算出部と、
前記ヒストグラム算出部で求められたヒストグラムに基づき、符号と数値を対応づけるテーブルに、出現頻度の高い数値ほど符号長の短かい符号を割り当てる符号割当部と、
前記符号割当部で符号が割り当てられたテーブルを用いて、前記第１の符号化部で符号化された後のデータにエントロピー符号化を施す第２の符号化部を備えたものであることを特徴とする請求項４記載のデータ圧縮装置。
【請求項９】
前記ヒストグラム算出部は、前記第１の符号化部で符号化された後のデータに対して、該データ中に出現する数値の間引きを行い、その間引いた数値によって前記ヒストグラムを求めるものであることを特徴とする請求項８記載のデータ圧縮装置。
【請求項１０】
前記圧縮部が、前記分割部によって分割された下位データに対して可逆圧縮処理を施す下位データ圧縮部を備えたものであることを特徴とする請求項４記載のデータ圧縮装置。
【請求項１１】
前記下位データ圧縮部が、符号と数値を対応づけるテーブルを用いて下位データにエントロピー符号化を施すものであることを特徴とする請求項１０記載のデータ圧縮装置。
【請求項１２】
前記下位データ圧縮部が、ハフマンテーブルを用いて下位データにハフマン符号化を施すものであることを特徴とする請求項１０記載のデータ圧縮装置。
【請求項１３】
前記下位データ圧縮部が、圧縮省略の指示を受けて下位データを無圧縮で出力するものであることを特徴とする請求項１０記載のデータ圧縮装置。
【請求項１４】
プログラムを実行する情報処理装置内に組み込まれて該情報処理装置に、複数種類の色要素それぞれに対応して、所定の単位ビット数で表される数値の連続でそれぞれ表現された複数の色版データにより構成された被圧縮データに対し、データ圧縮処理を実行させるデータ圧縮プログラムにおいて、
前記情報処理装置上に、
前記被圧縮データに含まれる色版データそれぞれに対し、それぞれの色版データを構成する数値の連続について、隣接する数値どうしの差分を求めることにより該差分を表わす数値の連続からなる第１の差分データを生成する第１の差分生成部と、
前記被圧縮データに含まれる色版データのうち所定種類の色要素に対応した色版データ
の第１の差分データと、前記所定種類の色要素を除いた他の色要素に対応した色版データの第１の差分データとの差分を求めることにより、該差分を表わす数値の連続からなる第２の差分データを生成する第２の差分生成部と、
前記所定種類の色要素に対応した第１の差分データおよび前記第２の差分データそれぞれを圧縮する圧縮部とを構築することを特徴とするデータ圧縮プログラム。
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
少なくとも両端にそれぞれ開口部を有したウエルを整列して配置したウエルプレートと、
このウエルの開口部の下面に、
少なくとも二つの流出入孔を設け、
この少なくとも二つの流出入孔の中間に複数の第一の貫通孔を配列したチッププレートと、
前記チッププレートの流出入孔、第一の貫通孔の下面に少なくとも一つの直線状の溝を有した溝プレートと、
前記チッププレートと溝プレートを接合することによって流出入孔、第一の貫通孔が前記溝で連結するとともに、少なくとも一つの第二の貫通孔を有した薄板を設けた細胞電気生理センサチップを前記第一の貫通孔の内部に埋め込んだ、細胞の電気生理現象を少なくとも二種類の電極で測定する細胞電気生理センサアレイ。
【請求項２】
前記チッププレートには、
前記二つの流出入孔の中間に、さらに少なくとも一つの電極取り出し孔が規則的に配列され、
前記溝プレートの溝は、
前記チッププレートの流出入孔、第一の貫通孔および前記電極取り出し孔の下面に直線状に設けられ、
前記チッププレートと溝プレートを接合することによって、流出入孔、第一の貫通孔および電極取り出し孔が前記溝で連結する請求項１に記載の細胞電気生理センサアレイ。
【請求項３】
二種類の電極をチッププレートの同一面に配置した請求項１に記載の細胞電気生理センサアレイ。
【請求項４】
二種類の電極をチッププレートの同一面に配置し、二種類の電極の一つは電極取り出し孔の内部に導電性接着剤を充填して電極取り出し孔を封止した請求項２に記載の細胞電気生理センサアレイ。
【請求項５】
少なくとも両端にそれぞれ開口部を有したウエルを一定の間隔で整列して配置した熱可塑性樹脂からなるウエルプレートを準備する工程と、
このウエルの開口部の下面に、少なくとも２つの液体の流出入孔を有し、この少なくとも二つの流出入孔の中間に複数の第一の貫通孔を配列した熱可塑性樹脂からなるチッププレートを準備する工程と、
前記チッププレートの流出入孔、第一の貫通孔の下面に少なくとも一つの直線状の溝を有した熱可塑性樹脂からなる溝プレートを準備する工程と、
前記ウエルプレートとチッププレートを熱溶着もしくは溶剤溶着によって貼り合わせる工程と、
内部に第二の貫通孔を有した薄板を備えた細胞電気生理センサを前記第一の貫通孔の内部に配置して前記細胞電気生理センサとチッププレートの間に隙間がないよう封止する工程と、
前記チッププレートと前記溝プレートを熱溶着もしくは溶剤溶着によって貼り合わせることによって第一の貫通孔が同一の溝で連結するように形成する工程を含む、細胞の電気生理現象を少なくとも二種類の電極で測定する細胞電気生理センサアレイの製造方法。
【手続補正書】
【提出日】平成20年4月10日(2008.4.10)
【手続補正１】
【補正対象書類名】明細書
【補正対象項目名】特許請求の範囲
【補正方法】変更
【補正の内容】
【特許請求の範囲】
【請求項１】  アンチモン、ビスマス、ゲルマニウム及びこれらの化合物からなる群より選ばれるスラグ変性添加剤を含むことを特徴とする、低合金又は軟鋼溶接部。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
超音波モータの目標回転角度から、前記超音波モータの加速駆動における駆動パラメータ、及び、加速駆動後の減速駆動における駆動パラメータを計算する演算手段と、
前記演算手段にて計算された駆動パラメータに従って、前記超音波モータを駆動する制御手段と、
前記超音波モータの回転状況を検出する検出手段とを備え、
前記制御手段が前記加速駆動における駆動パラメータに従って前記超音波モータを加速させた際の、前記検出手段から求められた前記超音波モータの回転状況に基づいて、前記制御手段が前記超音波モータを減速させる前に、前記減速駆動における駆動パラメータを修正することを特徴とする超音波モータ駆動制御装置。
【請求項２】
前記超音波モータの加速駆動によって、前記超音波モータが目標回転速度に達するまでの時間を計時する計時手段を備え、
前記演算手段は、前記計時手段により計時された時間に基づいて、前記減速駆動における駆動パラメータを修正することを特徴とする請求項１に記載の超音波モータ駆動制御装置。
【請求項３】
前記演算手段は、前記超音波モータに連結された駆動対象物の動きによる負荷変動に基づいて、前記減速駆動における駆動パラメータを修正することを特徴とする請求項１又は２に記載の超音波モータ駆動制御装置。
【請求項４】
前記減速駆動における駆動パラメータには、減速駆動の開始位置を含むことを特徴とする請求項１乃至３のいずれか１項に記載の超音波モータ駆動制御装置。
【請求項５】
前記減速駆動における駆動パラメータは、減速駆動に要する時間を含むことを特徴とする請求項１乃至４のいずれか１項に記載の超音波モータ駆動制御装置。
【請求項６】
超音波モータの回転状況を検出する検出手段を用いた超音波モータ駆動制御方法であって、
前記超音波モータの目標回転角度から、前記超音波モータの加速駆動における駆動パラメータ、及び、加速駆動後の減速駆動における駆動パラメータを計算する演算手順と、
前記演算手順にて計算された駆動パラメータに従って、前記超音波モータを駆動する制御手順とを有し、
前記制御手順で前記加速駆動における駆動パラメータに従って前記超音波モータを加速させた際の、前記検出手段から求められた前記超音波モータの回転状況に基づいて、前記制御手順で前記超音波モータを減速させる前に、前記減速駆動における駆動パラメータを修正することを特徴とする超音波モータ駆動制御方法。
【請求項７】
超音波モータの回転状況を検出する検出手段を用いた超音波モータ駆動制御をコンピュータに実行させるためのプログラムであって、
前記超音波モータの目標回転角度から、前記超音波モータの加速駆動における駆動パラメータ、及び、加速駆動後の減速駆動における駆動パラメータを計算する演算処理と、
前記演算処理にて計算された駆動パラメータに従って、前記超音波モータを駆動する制御処理とをコンピュータに実行させ、
前記制御処理で前記加速駆動における駆動パラメータに従って前記超音波モータを加速させた際の、前記検出手段から求められた前記超音波モータの回転状況に基づいて、前記制御処理で前記超音波モータを減速させる前に、前記減速駆動における駆動パラメータを修正することを特徴とするプログラム。
【手続補正２】
【補正対象書類名】明細書
【補正対象項目名】発明の名称
【補正方法】変更
【補正の内容】
【発明の名称】超音波モータ駆動制御装置、方法及びプログラム
【手続補正３】
【補正対象書類名】明細書
【補正対象項目名】０００１
【補正方法】変更
【補正の内容】
【０００１】
本発明は、超音波モータの駆動を制御するのに好適な超音波モータ駆動制御装置、方法及びプログラムに関する。
【手続補正４】
【補正対象書類名】明細書
【補正対象項目名】００１８
【補正方法】変更
【補正の内容】
【００１８】
本発明による超音波モータ駆動制御装置は、超音波モータの目標回転角度から、前記超音波モータの加速駆動における駆動パラメータ、及び、加速駆動後の減速駆動における駆動パラメータを計算する演算手段と、前記演算手段にて計算された駆動パラメータに従って、前記超音波モータを駆動する制御手段と、前記超音波モータの回転状況を検出する検出手段とを備え、前記制御手段が前記加速駆動における駆動パラメータに従って前記超音波モータを加速させた際の、前記検出手段から求められた前記超音波モータの回転状況に基づいて、前記制御手段が前記超音波モータを減速させる前に、前記減速駆動における駆動パラメータを修正することを特徴とする。
本発明による超音波モータ駆動制御方法は、超音波モータの回転状況を検出する検出手段を用いた超音波モータ駆動制御方法であって、前記超音波モータの目標回転角度から、前記超音波モータの加速駆動における駆動パラメータ、及び、加速駆動後の減速駆動における駆動パラメータを計算する演算手順と、前記演算手順にて計算された駆動パラメータに従って、前記超音波モータを駆動する制御手順とを有し、前記制御手順で前記加速駆動における駆動パラメータに従って前記超音波モータを加速させた際の、前記検出手段から求められた前記超音波モータの回転状況に基づいて、前記制御手順で前記超音波モータを減速させる前に、前記減速駆動における駆動パラメータを修正することを特徴とする。
本発明によるプログラムは、超音波モータの回転状況を検出する検出手段を用いた超音波モータ駆動制御をコンピュータに実行させるためのプログラムであって、前記超音波モータの目標回転角度から、前記超音波モータの加速駆動における駆動パラメータ、及び、加速駆動後の減速駆動における駆動パラメータを計算する演算処理と、前記演算処理にて計算された駆動パラメータに従って、前記超音波モータを駆動する制御処理とをコンピュータに実行させ、前記制御処理で前記加速駆動における駆動パラメータに従って前記超音波モータを加速させた際の、前記検出手段から求められた前記超音波モータの回転状況に基づいて、前記制御処理で前記超音波モータを減速させる前に、前記減速駆動における駆動パラメータを修正することを特徴とする。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
基本色および二色以上の特色を含む色材に対応する色分解データを生成する色処理方法であって、
前記基本色の色材に相当する色相における、前記基本色の色材が再現可能な最高彩度に対応する明度から最高明度までの高明度域は、前記基本色の色材に対応する色分解データを生成し、
前記高明度域よりも低明度の中間明度域は、前記基本色の色材に対応する色分解データと、前記基本色の色材に近い色相を有する二色の特色の色材に対応する色分解データを生成することを特徴とする色処理方法。
【請求項２】
さらに、墨色の色材を有し、前記基本色の色材と前記二色の特色の色材の混色が再現可能な明度以下の、前記中間明度域よりも低明度の低明度域は、前記二色の特色の色材に対応する色分解データと、前記墨色の色材に対応する色分解データを生成することを特徴とする請求項1に記載された色処理方法。
【請求項３】
前記低明度域における前記色分解データの生成は、明度の低下とともに、前記二色の特色の色材の使用量を減少し、前記墨色の色材の使用量を増加することを特徴とする請求項2に記載された色処理方法。
【請求項４】
前記高明度域における前記色分解データの生成は、明度の低下とともに、前記基本色の色材の使用量を増加することを特徴とする請求項1から請求項3の何れか一項に記載された色処理方法。
【請求項５】
前記中間明度域における前記色分解データの生成は、前記色材の総使用量の制限に達するまでは、明度の低下とともに、前記基本色の色材の使用量を最大として前記二色の特色の色材の使用量を増加し、
前記制限に達した後は、前記明度の低下とともに、前記基本色の色材の使用量を減少し、前記二色の特色の色材の使用量を増加することを特徴とする請求項1から請求項4の何れか一項に記載された色処理方法。
【請求項６】
前記特色の色材は、前記基本色のうちの二つの混色により表現する、前記特色の色相に近い色相の二次色よりも高い明度を表現することを特徴とする請求項1から請求項5の何れか一項に記載された色処理方法。
【請求項７】
前記特色の色材は、前記二次色よりも高い彩度を表現することを特徴とする請求項6に記載された色処理方法。
【請求項８】
色データを入力する入力手段と、
前記色データを、基本色および二色以上の特色を含む色材に対応する色分解データに変換する変換手段とを有し、
前記変換手段は、前記基本色の色材に相当する色相における、前記基本色の色材が再現可能な最高彩度に対応する明度から最高明度までの高明度域は、前記基本色の色材に対応する色分解データを生成し、前記高明度域よりも低明度の中間明度域は、前記基本色の色材に対応する色分解データと、前記基本色の色材に近い色相を有する二色の特色の色材に対応する色分解データを生成することを特徴とする色処理装置。
【請求項９】
画像処理装置を制御して、請求項1から請求項7の何れか一項に記載された色処理を実行することを特徴とするプログラム。
【請求項１０】
請求項9に記載されたプログラムが記録されたことを特徴とするコンピュータが読み取り可能な記録媒体。
【手続補正２】
【補正対象書類名】明細書
【補正対象項目名】００１１
【補正方法】変更
【補正の内容】
【００１１】
本発明にかかる色処理は、基本色および二色以上の特色を含む色材に対応する色分解データを生成する際に、前記基本色の色材に相当する色相における、前記基本色の色材が再現可能な最高彩度に対応する明度から最高明度までの高明度域は、前記基本色の色材に対応する色分解データを生成し、前記高明度域よりも低明度の中間明度域は、前記基本色の色材に対応する色分解データと、前記基本色の色材に近い色相を有する二色の特色の色材に対応する色分解データを生成することを特徴とする。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
入力画像データを色材に対応する画像データに色分解する色分解手段と、
前記色材に対応する画像データに多値ディザ処理を施す中間調処理手段とを有し、
前記中間調処理手段は、同色相で明度が異なる濃および淡色材に対応する画像データそれぞれに、同一のスクリーン角、線数をもち、閾値の設定方法が異なるディザマトリクスを適用することを特徴とする画像処理装置。
【請求項２】
前記濃色材に適用するディザマトリクスは、基本セルのドットを集中させる特性を有することを特徴とする請求項1に記載された画像処理装置。
【請求項３】
前記淡色材に適用するディザマトリクスは、基本セルのドットを拡散させる特性を有することを特徴とする請求項1または請求項2に記載された画像処理装置。
【請求項４】
前記ディザマトリクスは、前記中間調処理手段が出力する画像データの階調数分のマトリクスを有し、前記濃色材用のディザマトリクスは、異なる階調値に対応するマトリクスの同じ位置の升間では、前記階調値の増加に伴い、その値が増加するように閾値を与え、ある位置の升の閾値を増加した後、続けて、隣接位置の升の閾値を増加した特性を有することを特徴とする請求項1に記載された画像処理装置。
【請求項５】
前記淡色材用のディザマトリクスは、異なる階調値に対応するマトリクスの同じ位置の升間では、前記階調値の増加に伴い、その値が増加するように閾値を与え、ある位置の升の閾値を増加するとともに、隣接位置の升の閾値も増加し、さらに隣接する位置の升の閾値も増加した特性を有することを特徴とする請求項4に記載された画像処理装置。
【請求項６】
入力画像データを色材に対応する画像データに色分解する色分解手段と、
前記色材に対応する画像データに多値ディザ処理を施す中間調処理手段とを有し、
前記中間調処理手段は、イエローの色材に対応する画像データに、他の色材の画像データと同一のスクリーン角、線数をもち、閾値の設定方法が異なるディザマトリクスを適用することを特徴とする画像処理装置。
【請求項７】
入力画像データを色材に対応する画像データに色分解する色分解手段と、
前記色材に対応する画像データに多値ディザ処理を施す中間調処理手段とを有し、
前記中間調処理手段は、補色関係にある色材に対応する画像データそれぞれに、同一のスクリーン角、線数をもち、閾値の設定方法が異なるディザマトリクスを適用することを特徴とする画像処理装置。
【請求項８】
入力画像データを色材に対応する画像データに色分解し、前記色材に対応する画像データに多値ディザ処理を施す画像処理方法であって、
前記多値ディザ処理は、同色相で明度が異なる濃および淡色材に対応する画像データそれぞれに、同一のスクリーン角、線数をもち、閾値の設定方法が異なるディザマトリクスを適用することを特徴とする画像処理方法。
【請求項９】
入力画像データを色材に対応する画像データに色分解し、前記色材に対応する画像データに多値ディザ処理を施す画像処理方法であって、
前記多値ディザ処理は、イエローの色材に対応する画像データに、他の色材の画像データと同一のスクリーン角、線数をもち、閾値の設定方法が異なるディザマトリクスを適用することを特徴とする画像処理方法。
【請求項１０】
入力画像データを色材に対応する画像データに色分解し、前記色材に対応する画像データに多値ディザ処理を施す画像処理方法であって、
前記多値ディザ処理は、補色関係にある色材に対応する画像データそれぞれに、同一のスクリーン角、線数をもち、閾値の設定方法が異なるディザマトリクスを適用することを特徴とする画像処理方法。
【請求項１１】
コンピュータに読み込ませて実行させることで、前記コンピュータを請求項1から請求項7の何れか一項に記載された画像処理装置として機能させることを特徴とするプログラム。
【請求項１２】
請求項11に記載されたプログラムが記録されたことを特徴とするコンピュータが読み取り可能な記録媒体。
【手続補正２】
【補正対象書類名】明細書
【補正対象項目名】００２４
【補正方法】変更
【補正の内容】
【００２４】
リーダ300は、スキャナユニット32のランプの光で、原稿台ガラス31上に載置された原稿30を露光し、スキャナユニット32を副走査方向に移動する。原稿30からの反射光は、スキャナユニット32のミラー、レンズ33を介して、CCDセンサ34に集光する。CCDセンサ34が出力する色分解画像信号は、図示しない増幅回路で増幅され、図示しないビデオ処理ユニットによってRGB画像データに変換され、図示しない画像メモリに格納された後、プリンタ100に出力される。
【手続補正３】
【補正対象書類名】明細書
【補正対象項目名】００４３
【補正方法】変更
【補正の内容】
【００４３】
また、記録紙の両面に画像形成する場合は、搬送パス切換ガイド91を駆動して、熱ローラ定着器9を通過した記録紙を、一旦、搬送縦パス7を介して反転パス76に導く。その後、反転ローラ87を逆転して、反転パス76に導いた際の記録紙の後端を先頭にして、記録紙を反対パス76から退出させて両面搬送パス77へ導く。記録紙は、両面搬送パス77を通過し、両面搬送ローラ88によってレジストローラ85へ送られ、上記の画像形成工程によって、もう一面にフルカラー画像が形成される。
【手続補正４】
【補正対象書類名】明細書
【補正対象項目名】００５３
【補正方法】変更
【補正の内容】
【００５３】
リーダ300が出力する画像データは、多くの場合、一画素当り8ビット（256階調）のRGB画像データである。画像処理部207は、入力したRGB画像データに、シェーディング補正部301で白基準の補正を施し、入力色処理部302で入力マスキング処理を施すことで、CCDの分光特性に起因する色の濁りなどを取り除く。さらに、空間フィルタ303で入力画像データの周波数特性を修正する。
【手続補正５】
【補正対象書類名】明細書
【補正対象項目名】００５５
【補正方法】変更
【補正の内容】
【００５５】
次に、画像処理部207は、六色の信号を出力ガンマ補正部305に入力する。出力ガンマ補正部305は、各色独立の一次元ルックアップテーブル(1DLUT)を用いて、色分解信号に出力特性の補正（ガンマ補正）を施す。
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
画像データの表示が含まれる表示画面をネットワークを介して接続された機器に表示させるための画像データ送信装置であって、
前記表示画面に画像データを表示する表示手段と、
前記表示手段の表示画面を前記ネットワークを介して接続された機器に表示させるために、前記表示手段の表示画面のビットマップの形式の背景画像データと、前記表示手段によって表示される画像データと、当該画像データの表示位置及び表示サイズを特定するための属性情報と、を含む送信データを生成する送信データ生成手段と、
前記ネットワークを介して接続された機器に、前記送信データ生成手段により生成された送信データを送信する送信制御手段と
を備えることを特徴とする画像データ送信装置。
【請求項２】
前記表示手段が複数の画像データを表示する場合、
前記送信データ生成手段は、
前記送信データがXOP(XML-binary Optimization Packaging)形式であることを示す属性情報を、当該送信データのヘッダに付加することを特徴とする請求項１に記載の画像データ送信装置。
【請求項３】
前記表示手段が複数の画像データを表示する場合、
前記送信データ生成手段は、
さらに各画像データを特定するための参照情報を含む描画に関する情報に基づいて、前記送信データを生成することを特徴とする請求項１または２に記載の画像データ送信装置。
【請求項４】
画像データの表示が含まれる表示画面をネットワークを介して接続された機器に表示させるための画像データ送信装置の制御方法であって、
前記画像データ送信装置が、画像データを表示する表示手段の表示画面のビットマップの形式の背景画像データと、前記表示手段によって表示される画像データと、当該画像データの表示位置及び表示サイズを特定するための属性情報と、を含む送信データを生成する送信データ生成工程と、
前記ネットワークを介して接続された機器に対し、前記送信データ生成工程により生成された送信データを画像データ送信装置が送信する送信制御工程と
を備えることを特徴とする画像データ送信装置の制御方法。
【請求項５】
前記表示手段が複数の画像データを表示する場合、
前記送信データ生成工程において、
前記送信データがXOP(XML-binary Optimization Packaging)形式であることを示す属性情報が当該送信データのヘッダに付加されることを特徴とする請求項４に記載の画像データ送信装置の制御方法。
【請求項６】
前記表示手段が複数の画像データを表示する場合、
前記送信データ生成工程において、
さらに各画像データを特定するための参照情報を含む描画に関する情報に基づいて、前記送信データが生成されることを特徴とする請求項４または５に記載の画像データ送信装置の制御方法。
【請求項７】
請求項４乃至６のいずれか１項に記載の画像データ送信装置の制御方法をコンピュータに実行させることを特徴とするプログラム。
【手続補正２】
【補正対象書類名】明細書
【補正対象項目名】発明の名称
【補正方法】変更
【補正の内容】
【発明の名称】画像データ送信装置、画像データ送信装置の制御方法及びプログラム
【手続補正３】
【補正対象書類名】明細書
【補正対象項目名】０００８
【補正方法】変更
【補正の内容】
【０００８】
上記の目的を達成するべく、本発明にかかる画像データ送信装置は、主として、以下の構成を備えることを特徴とする。
【手続補正４】
【補正対象書類名】明細書
【補正対象項目名】０００９
【補正方法】変更
【補正の内容】
【０００９】
すなわち、本発明にかかる画像データ送信装置は、画像データの表示が含まれる表示画面をネットワークを介して接続された機器に表示させるための画像データ送信装置であって、
前記表示画面に画像データを表示する表示手段と、
前記表示手段の表示画面を前記ネットワークを介して接続された機器に表示させるために、前記表示手段の表示画面のビットマップの形式の背景画像データと、前記表示手段によって表示される画像データと、当該画像データの表示位置及び表示サイズを特定するための属性情報と、を含む送信データを生成する送信データ生成手段と、
前記ネットワークを介して接続された機器に、前記送信データ生成手段により生成された送信データを送信する送信制御手段と
を備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
水晶振動子を用いた水晶発振回路であって、発振回路と分周回路と出力バッファ部とを備え、これらがそれぞれ異なる駆動電圧で動作する水晶発振回路において、
前記発振回路と前記分周回路と前記出力バッファ部との負側の電源を前記第１の電源とし、
前記発振回路の正側の電源を前記第２の電源とし、前記分周回路の正側の電源を前記第３の電源とし、前記出力バッファ部の正側の電源を前記第４の電源とするとき、
前記第２の電源の電圧は、前記第３の電源の電圧より低く、
前記第３の電源の電圧は、前記第４の電源の電圧より高く、
前記第２の電源の電圧は、前記発振回路を構成するスイッチング素子のしきい値電圧の絶対値をほぼ２倍にした値より大きく、
前記第３の電源の電圧は、前記分周回路を構成するスイッチング素子のしきい値電圧の絶対値をほぼ２倍にした値より大きいことを特徴とする水晶発振回路。
【請求項２】
前記第２の電源と前記第３の電源と前記第４の電源とは、それぞれ異なる電源手段であることを特徴とする請求項１に記載の水晶発振回路。
【請求項３】
記憶回路と制御回路とを備え、
前記制御回路は、前記記憶回路に記憶している動作条件情報に基づいて、前記発振回路の動作を制御することを特徴とする請求項１または２に記載の水晶発振回路。
【請求項４】
第１の可変手段を有し、
該第１の可変手段は、前記記憶回路に記憶している前記動作条件情報に基づき、前記分周回路を制御して、その出力周波数を可変することを特徴とする請求項１から３のいずれか１つに記載の水晶発振回路。
【請求項５】
第２の可変手段を有し、
該第２の可変手段は、前記記憶回路に記憶している前記動作条件情報に基づき、前記第２の電源もしくは前記第３の電源もしくは前記第４の電源を制御して、その出力電圧を可変することを特徴とする請求項１から４のいずれか１つに記載の水晶発振回路。
【請求項６】
前記動作条件情報は、前記発振回路の発振周波数、または前記分周回路の分周周波数も
しくは分周数、または前記出力バッファ部の振幅であることを特徴とする請求項１から５のいずれか１つに記載の水晶発振回路。
【手続補正２】
【補正対象書類名】明細書
【補正対象項目名】００２２
【補正方法】変更
【補正の内容】
【００２２】
水晶振動子を用いた水晶発振回路であって、発振回路と分周回路と出力バッファ部とを備え、これらがそれぞれ異なる駆動電圧で動作する水晶発振回路において、
発振回路と分周回路と出力バッファ部との負側の電源を第１の電源とし、発振回路の正側の電源を第２の電源とし、分周回路の正側の電源を第３の電源とし、出力バッファ部の正側の電源を第４の電源とするとき、
第２の電源の電圧は、第３の電源の電圧より低く、第３の電源の電圧は、第４の電源の電圧より高く、第２の電源の電圧は、発振回路を構成するスイッチング素子のしきい値電圧の絶対値をほぼ２倍にした値より大きく、第３の電源の電圧は、分周回路を構成するスイッチング素子のしきい値電圧の絶対値をほぼ２倍にした値より大きいことを特徴とする。
【手続補正３】
【補正対象書類名】明細書
【補正対象項目名】００２３
【補正方法】変更
【補正の内容】
【００２３】
第２の電源と第３の電源と第４の電源とは、それぞれ異なる電源手段であることを特徴とする。
【手続補正４】
【補正対象書類名】明細書
【補正対象項目名】００２４
【補正方法】変更
【補正の内容】
【００２４】
記憶回路と制御回路とを備え、その制御回路は、記憶回路に記憶している動作条件情報に基づいて、発振回路の動作を制御することを特徴とする。
【手続補正５】
【補正対象書類名】明細書
【補正対象項目名】００２５
【補正方法】変更
【補正の内容】
【００２５】
第１の可変手段を有し、この第１の可変手段は、記憶回路に記憶している動作条件情報に基づき、分周回路を制御して、その出力周波数を可変することを特徴とする。
【手続補正６】
【補正対象書類名】明細書
【補正対象項目名】００２６
【補正方法】変更
【補正の内容】
【００２６】
第２の可変手段を有し、この第２の可変手段は、記憶回路に記憶している動作条件情報に基づき、第２の電源もしくは第３の電源もしくは第４の電源を制御して、その出力電圧
を可変することを特徴とする。
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】